【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
電子を放出する陰極と、Ｘ線を放出する回転自在な陽極ターゲットと、前記陰極及び陽極ターゲットを収容した真空外囲器と、を有する回転陽極型Ｘ線管と、
前記陽極ターゲットの軸線に垂直な方向にて前記真空外囲器を取り囲むシェルを有し、前記真空外囲器との間に冷却媒体が流れる流路を形成する流路形成体と、
前記Ｘ線の漏洩を防止するＸ線遮蔽手段と、を備えている回転陽極型Ｘ線管ユニット。
【請求項２】
前記Ｘ線遮蔽手段は、前記シェルに対して前記回転陽極型Ｘ線管の反対側に位置し、Ｘ線を透過させる貫通孔を有するＸ線遮蔽体を有している請求項１に記載の回転陽極型Ｘ線管ユニット。
【請求項３】
前記Ｘ線遮蔽体は、前記シェルに密接又は近接する形状を有している請求項２に記載の回転陽極型Ｘ線管ユニット。
【請求項４】
前記Ｘ線遮蔽体は、前記シェルに固定され、前記シェルとともにシールド構造体を形成する請求項３に記載の回転陽極型Ｘ線管ユニット。
【請求項５】
前記陰極に対して前記陽極ターゲットの反対側において前記回転陽極型Ｘ線管の外側に位置した電気絶縁部材と、
前記電気絶縁部材に取付けられ、前記Ｘ線遮蔽体に重なる端部を有した他のＸ線遮蔽体と、をさらに備えている請求項２に記載の回転陽極型Ｘ線管ユニット。
【請求項６】
前記シェルは、電気絶縁部材である請求項１に記載の回転陽極型Ｘ線管ユニット。
【請求項７】
前記真空外囲器は、前記軸線に垂直な方向にて前記陽極ターゲットと対向する径大部と、径小部と、前記径大部及び径小部を繋ぐ中継部と、を有し、
前記シェルは、前記真空外囲器の径大部を少なくとも取り囲んでいる請求項１に記載の回転陽極型Ｘ線管ユニット。
【請求項８】
前記陽極ターゲットの軸線に垂直な方向にて前記真空外囲器の径小部及び中継部を取り囲む電気絶縁部材を有し、前記真空外囲器の径小部及び中継部との間に前記冷却媒体が流れ前記流路と分離した他の流路を形成する他の流路形成体をさらに備えている請求項７に記載の回転陽極型Ｘ線管ユニット。
【請求項９】
前記他の流路形成体に対して前記回転陽極型Ｘ線管の反対側に位置し、前記陽極ターゲットを回転させる回転駆動部をさらに備えている請求項８に記載の回転陽極型Ｘ線管ユニット。
【請求項１０】
前記回転駆動部は、前記電気絶縁部材の外面に固定されている請求項９に記載の回転陽極型Ｘ線管ユニット。
【請求項１１】
前記流路形成体に対して前記回転陽極型Ｘ線管の反対側に位置し、前記陽極ターゲットを回転させる回転駆動部をさらに備えている請求項１に記載の回転陽極型Ｘ線管ユニット。
【請求項１２】
前記Ｘ線遮蔽手段は、
前記シェルに対して前記回転陽極型Ｘ線管の反対側に位置し、Ｘ線を透過させる貫通孔を有するＸ線遮蔽体と、
前記Ｘ線遮蔽体に取付けられ前記Ｘ線遮蔽体の貫通孔を取り囲み前記Ｘ線遮蔽体に対して前記シェルの反対側に突出した枠状のＸ線遮蔽部材と、を有している請求項１に記載の回転陽極型Ｘ線管ユニット。
【請求項１３】
回転陽極型Ｘ線管ユニットと、
前記回転陽極型Ｘ線管ユニットを収納し、前記回転陽極型Ｘ線管ユニットとの間に冷却媒体が流れる空間を形成するハウジングと、を備え、
前記回転陽極型Ｘ線管ユニットは、
電子を放出する陰極と、Ｘ線を放出する回転自在な陽極ターゲットと、前記陰極及び陽極ターゲットを収容した真空外囲器と、を有する回転陽極型Ｘ線管と、
前記陽極ターゲットの軸線に垂直な方向にて前記真空外囲器を取り囲むシェルを有し、前記真空外囲器との間に前記冷却媒体が流れる流路を形成する流路形成体と、
前記Ｘ線の漏洩を防止するＸ線遮蔽手段と、を備えている回転陽極型Ｘ線管装置。
【請求項１４】
前記Ｘ線遮蔽手段は、前記シェルに対して前記回転陽極型Ｘ線管の反対側に位置し、Ｘ線を透過させる貫通孔を有するＸ線遮蔽体を有している請求項１３に記載の回転陽極型Ｘ線管装置。
【請求項１５】
前記陰極に対して前記陽極ターゲットの反対側において前記回転陽極型Ｘ線管の外側に位置した電気絶縁部材と、
前記電気絶縁部材に取付けられ、前記Ｘ線遮蔽手段を形成し、前記Ｘ線遮蔽体に重なる端部を有した他のＸ線遮蔽体と、をさらに備えている請求項１４に記載の回転陽極型Ｘ線管装置。
【請求項１６】
前記Ｘ線遮蔽体は、前記ハウジングに電気的に接続されている請求項１４に記載の回転陽極型Ｘ線管装置。
【請求項１７】
前記ハウジングの内部に設けられ、前記冷却液に浸り、前記回転陽極型Ｘ線管に高電圧を与える高電圧ユニットをさらに備え、
前記冷却液は、絶縁油である請求項２４に記載の回転陽極型Ｘ線管装置。
【請求項１８】
前記真空外囲器は、前記軸線に垂直な方向にて前記陽極ターゲットと対向する径大部と、径小部と、前記径大部及び径小部を繋ぐ中継部と、を有し、
前記シェルは、前記真空外囲器の径大部を少なくとも取り囲んでいる請求項１３に記載の回転陽極型Ｘ線管装置。
【請求項１９】
前記陽極ターゲットの軸線に垂直な方向にて前記真空外囲器の径小部及び中継部を取り囲む電気絶縁部材を有し、前記真空外囲器の径小部及び中継部との間に前記冷却媒体が流れ前記流路と分離した他の流路を形成する他の流路形成体をさらに備えている請求項１８に記載の回転陽極型Ｘ線管装置。
【請求項２０】
前記シェルに対して前記回転陽極型Ｘ線管の反対側に位置し、Ｘ線を透過させる貫通孔を有するＸ線遮蔽体と、
Ｘ線を透過し、前記Ｘ線遮蔽体の貫通孔と対向した前記ハウジングの開口を閉塞するＸ線放射窓と、
枠状のＸ線遮蔽部材と、をさらに備え、
前記Ｘ線遮蔽部材は、
前記Ｘ線遮蔽体に取付けられ前記Ｘ線遮蔽手段を形成し前記Ｘ線遮蔽体の貫通孔を取り囲み前記ハウジング側に突出し、又は前記ハウジングに取付けられ前記ハウジングの開口を取り囲み前記Ｘ線遮蔽体側に突出している請求項１３に記載の回転陽極型Ｘ線管装置。
【手続補正２】
【補正対象書類名】明細書
【補正対象項目名】０５０７
【補正方法】変更
【補正の内容】
【０５０７】
Ｘ線管装置は、陽極ターゲット３５及び陰極３６にそれぞれ高電圧を印加する中性点接地型に限定されるものではなく、陽極接地型や、陰極接地型を採っていてもよい。  
この発明の実施形態は、上記した医療分野等で行うＸ線撮影に使用されるＸ線管ユニット及びＸ線管装置に限らず、各種のＸ線管ユニット及びＸ線管装置に適用することができる。
以下に、本願出願の当初の特許請求の範囲に記載された発明を付記する。
［１］電子を放出する陰極と、Ｘ線を放出する回転自在な陽極ターゲットと、前記陰極及び陽極ターゲットを収容した真空外囲器と、を有する回転陽極型Ｘ線管と、
前記陽極ターゲットの軸線に垂直な方向にて前記真空外囲器を取り囲むシェルを有し、前記真空外囲器との間に冷却媒体が流れる流路を形成する流路形成体と、
前記Ｘ線の漏洩を防止するＸ線遮蔽手段と、を備えている回転陽極型Ｘ線管ユニット。
［２］前記Ｘ線遮蔽手段は、前記シェルに対して前記回転陽極型Ｘ線管の反対側に位置し、Ｘ線を透過させる貫通孔を有するＸ線遮蔽体を有している［１］に記載の回転陽極型Ｘ線管ユニット。
［３］前記Ｘ線遮蔽体は、前記シェルに密接又は近接する形状を有している［２］に記載の回転陽極型Ｘ線管ユニット。
［４］前記Ｘ線遮蔽体は、前記シェルに固定され、前記シェルとともにシールド構造体を形成する［３］に記載の回転陽極型Ｘ線管ユニット。
［５］前記陰極に対して前記陽極ターゲットの反対側において前記回転陽極型Ｘ線管の外側に位置した電気絶縁部材と、
前記電気絶縁部材に取付けられ、前記Ｘ線遮蔽体に重なる端部を有した他のＸ線遮蔽体と、をさらに備えている［２］に記載の回転陽極型Ｘ線管ユニット。
［６］前記シェルは、電気絶縁部材である［１］に記載の回転陽極型Ｘ線管ユニット。
［７］前記電気絶縁部材は、熱硬化性エポキシ樹脂、不飽和ポリエステル樹脂、フェノール樹脂、ジアリルフタレート樹脂、熱可塑性エポキシ樹脂、ナイロン樹脂、芳香族ナイロン樹脂、ポリブチレンテレフタレート樹脂、ポリエチレンテレフタレート樹脂、ポリカーボネート樹脂、ポリフェニレンサルファイド樹脂、ポリフェニレンエーテル樹脂、液晶ポリマー及びメチルペンテンポリマーのうちの少なくとも１つを含む樹脂材料で形成されている［６］に記載の回転陽極型Ｘ線管ユニット。
［８］前記シェルは、タングステン、タンタル、モリブデン、バリウム、ビスマス、希土類金属及び鉛の少なくとも１つである金属微粒子、並びにタングステン、タンタル、モリブデン、バリウム、ビスマス、希土類金属及び鉛の少なくとも１つの化合物微粒子の少なくとも１つを混合材料として含有している電気絶縁性材料で形成され、Ｘ線を透過させる貫通孔を含んでいる［６］又は［７］に記載の回転陽極型Ｘ線管ユニット。
［９］前記シェルは、前記真空外囲器の少なくとも一部を取り囲み、Ｘ線を透過させる貫通孔を含んでいる金属部材を有している［１］に記載の回転陽極型Ｘ線管ユニット。
［１０］前記シェルの貫通孔を塞ぎ、Ｘ線透過性の材料で形成された仕切板をさらに備えている［８］又は［９］に記載の回転陽極型Ｘ線管ユニット。
［１１］前記真空外囲器は、前記軸線に垂直な方向にて前記陽極ターゲットと対向する径大部と、径小部と、前記径大部及び径小部を繋ぐ中継部と、を有し、
前記シェルは、前記真空外囲器の径大部を少なくとも取り囲んでいる［１］に記載の回転陽極型Ｘ線管ユニット。
［１２］前記陽極ターゲットの軸線に垂直な方向にて前記真空外囲器の径小部及び中継部を取り囲む電気絶縁部材を有し、前記真空外囲器の径小部及び中継部との間に前記冷却媒体が流れ前記流路と分離した他の流路を形成する他の流路形成体をさらに備えている［１１］に記載の回転陽極型Ｘ線管ユニット。
［１３］前記他の流路形成体に対して前記回転陽極型Ｘ線管の反対側に位置し、前記陽極ターゲットを回転させる回転駆動部をさらに備えている［１２］に記載の回転陽極型Ｘ線管ユニット。
［１４］前記回転駆動部は、前記電気絶縁部材の外面に固定されている［１３］に記載の回転陽極型Ｘ線管ユニット。
［１５］前記流路形成体に対して前記回転陽極型Ｘ線管の反対側に位置し、前記陽極ターゲットを回転させる回転駆動部をさらに備えている［１］に記載の回転陽極型Ｘ線管ユニット。
［１６］前記Ｘ線遮蔽手段は、
前記シェルに対して前記回転陽極型Ｘ線管の反対側に位置し、Ｘ線を透過させる貫通孔を有するＸ線遮蔽体と、
前記Ｘ線遮蔽体に取付けられ前記Ｘ線遮蔽体の貫通孔を取り囲み前記Ｘ線遮蔽体に対して前記シェルの反対側に突出した枠状のＸ線遮蔽部材と、を有している［１］に記載の回転陽極型Ｘ線管ユニット。
［１７］回転陽極型Ｘ線管ユニットと、
前記回転陽極型Ｘ線管ユニットを収納し、前記回転陽極型Ｘ線管ユニットとの間に冷却媒体が流れる空間を形成するハウジングと、を備え、
前記回転陽極型Ｘ線管ユニットは、
電子を放出する陰極と、Ｘ線を放出する回転自在な陽極ターゲットと、前記陰極及び陽極ターゲットを収容した真空外囲器と、を有する回転陽極型Ｘ線管と、
前記陽極ターゲットの軸線に垂直な方向にて前記真空外囲器を取り囲むシェルを有し、前記真空外囲器との間に前記冷却媒体が流れる流路を形成する流路形成体と、
前記Ｘ線の漏洩を防止するＸ線遮蔽手段と、を備えている回転陽極型Ｘ線管装置。
［１８］前記Ｘ線遮蔽手段は、前記シェルに対して前記回転陽極型Ｘ線管の反対側に位置し、Ｘ線を透過させる貫通孔を有するＸ線遮蔽体を有している［１７］に記載の回転陽極型Ｘ線管装置。
［１９］前記陰極に対して前記陽極ターゲットの反対側において前記回転陽極型Ｘ線管の外側に位置した電気絶縁部材と、
前記電気絶縁部材に取付けられ、前記Ｘ線遮蔽手段を形成し、前記Ｘ線遮蔽体に重なる端部を有した他のＸ線遮蔽体と、をさらに備えている［１８］に記載の回転陽極型Ｘ線管装置。
［２０］前記Ｘ線遮蔽体は、前記ハウジングに電気的に接続されている［１８］に記載の回転陽極型Ｘ線管装置。
［２１］前記冷却媒体は、冷却液である［１７］に記載の回転陽極型Ｘ線管装置。
［２２］前記流路及び空間に前記冷却液の流れを形成する循環部をさらに備えている［２１］に記載の回転陽極型Ｘ線管装置。
［２３］前記冷却液は、水系冷却液である［２１］に記載の回転陽極型Ｘ線管装置。
［２４］前記冷却液は、絶縁油である［２１］に記載の回転陽極型Ｘ線管装置。
［２５］前記ハウジングの内部に設けられ、前記冷却液に浸り、前記回転陽極型Ｘ線管に高電圧を与える高電圧ユニットをさらに備えている［２４］に記載の回転陽極型Ｘ線管装置。
［２６］前記ハウジングの内部及び外部に位置し、前記ハウジングに液密に取付けられ、前記冷却液の熱を前記ハウジングの外部に放出する空冷ラジエータと、前記ハウジングの外部に位置した前記空冷ラジエータに送風する送風部と、を有した熱交換器さらに備えている［２１］に記載の回転陽極型Ｘ線管装置。
［２７］前記冷却媒体は、空気であり、
前記ハウジングは、空気を取込む吸気口と、空気を吐出す排気口と、を有している［１７］に記載の回転陽極型Ｘ線管装置。
［２８］前記流路及び空間に空気の流れを形成する循環部をさらに備えている［２７］に記載の回転陽極型Ｘ線管装置。
［２９］前記ハウジングは、樹脂材料で形成されている［１７］に記載の回転陽極型Ｘ線管装置。
［３０］前記ハウジングを形成する樹脂材料は、熱硬化性エポキシ樹脂、不飽和ポリエステル樹脂、フェノール樹脂、ジアリルフタレート樹脂、熱可塑性エポキシ樹脂、ナイロン樹脂、芳香族ナイロン樹脂、ポリブチレンテレフタレート樹脂、ポリエチレンテレフタレート樹脂、ポリカーボネート樹脂、ポリフェニレンサルファイド樹脂、ポリフェニレンエーテル樹脂、液晶ポリマー及びメチルペンテンポリマーのうちの少なくとも１つを含んでいる［２９］に記載の回転陽極型Ｘ線管装置。
［３１］前記ハウジングは、前記ハウジングの内面及び外面の少なくとも一部を形成し、前記ハウジングの外部への電磁気ノイズの漏洩を防止する遮蔽層を有している［２９］に記載の回転陽極型Ｘ線管装置。
［３２］前記遮蔽層は、金属で形成されている［３１］に記載の回転陽極型Ｘ線管装置。
［３３］前記真空外囲器は、前記軸線に垂直な方向にて前記陽極ターゲットと対向する径大部と、径小部と、前記径大部及び径小部を繋ぐ中継部と、を有し、
前記シェルは、前記真空外囲器の径大部を少なくとも取り囲んでいる［１７］に記載の回転陽極型Ｘ線管装置。
［３４］前記陽極ターゲットの軸線に垂直な方向にて前記真空外囲器の径小部及び中継部を取り囲む電気絶縁部材を有し、前記真空外囲器の径小部及び中継部との間に前記冷却媒体が流れ前記流路と分離した他の流路を形成する他の流路形成体をさらに備えている［３３］に記載の回転陽極型Ｘ線管装置。
［３５］前記シェルに対して前記回転陽極型Ｘ線管の反対側に位置し、Ｘ線を透過させる貫通孔を有するＸ線遮蔽体と、
Ｘ線を透過し、前記Ｘ線遮蔽体の貫通孔と対向した前記ハウジングの開口を閉塞するＸ線放射窓と、
枠状のＸ線遮蔽部材と、をさらに備え、
前記Ｘ線遮蔽部材は、
前記Ｘ線遮蔽体に取付けられ前記Ｘ線遮蔽手段を形成し前記Ｘ線遮蔽体の貫通孔を取り囲み前記ハウジング側に突出し、又は前記ハウジングに取付けられ前記ハウジングの開口を取り囲み前記Ｘ線遮蔽体側に突出している［１７］に記載の回転陽極型Ｘ線管装置。